(57)【特許請求の範囲】
【請求項１】
弾性体ローラと磁気ヘッドとの間に磁気記録用媒体を通し前記弾性体ローラで前記媒体を前記磁気ヘッドに押し当てて磁気書込み及び／又は磁気読取りを行う媒体処理装置において、
前記ローラをその左右端にそれぞれ配したアームで支持し、
前記ローラの左側を支持するアームと前記ローラの右側を支持するアームの傾きを相互に釣り合わせるスタビライザーを備え、
前記スタビライザーが中間部を支点に回動可能に保持された部材からなり、前記部材の一端で前記ローラの左側を支持するアームを、前記部材の他端で前記ローラの右側を支持するアームを、それぞれ支持したことを特徴とする媒体処理装置。
【請求項２】
弾性体ローラと磁気ヘッドとの間に磁気記録用媒体を通し前記弾性体ローラで前記媒体を前記磁気ヘッドに押し当てて磁気書込み及び／又は磁気読取りを行う媒体処理装置において、
後辺部が固定された板バネの前辺部に前記弾性体ローラを配し、前記前辺部の一端に前記ローラの左側を支持するアームを、前記前辺部の他端に前記ローラの右側を支持するアームをそれぞれ備えたことを特徴とする媒体処理装置。
【請求項３】
弾性体ローラと磁気ヘッドとの間に磁気記録用媒体を通し前記弾性体ローラで前記媒体を前記磁気ヘッドに押し当てて磁気書込み及び／又は磁気読取りを行う媒体処理装置において、
前記弾性体ローラを複数の弾性体ローラを並列させて構成するとともに、各ローラを支持するローラ支持機構を各ローラ毎に備えたことを特徴とする媒体処理装置。
【発明の詳細な説明】
【０００１】
【発明の属する技術分野】
本発明は、鉄道用乗車券等の発券や改札処理等に関連する磁気記録媒体を処理する媒体処理装置に関するものである。
【０００２】
【従来の技術】
従来、この種の分野では、例えば特開平１１−１１７３２号公報の技術を利用した装置が実用化されている。この装置は、入場、出場あるいは乗り換えの際に利用する情報を磁気記録媒体に記録し、また記録された情報を読取る機能等を有している。そして近年、鉄道関係等において、自動発券端末や改札口の券処理機の利用が益々増え、そのための磁気記録媒体を扱う装置が多様化してきている。
【０００３】
上記のような従来の券売機等において、磁気記録媒体に情報を書込み、またそこに記録されている磁気情報を読取る機構は下記のように構成されている。即ち、磁気ヘッドとゴム製の回転ローラとが対向して設けられており、これら磁気ヘッドと回転ローラとの間隔を適当に離間させ、この間隔にこの間隔よりも厚い媒体を介在させることにより回転ローラがつぶれて磁気ヘッドと磁気記録媒体とに適当な圧力が生じ、磁気ヘッドが磁気記録媒体へ情報を書込んだり記録されている磁気情報を読取るものである。この場合、磁気ヘッドと回転ローラとの間隔を適当に離間させる構造とすると、調整機構等が必要で非常に高価で調整に手間の掛かる構造となってしまう。従って、特開平１１−１１７３２号公報では、この隙間を０とし、磁気ヘッドに対向させたローラを適当な押圧で密着させる方式で、簡単かつ安価な構成としている。
【０００４】
図１はそのような従来方式のローラ部の構造図、図２はそこで使用されるローラの構造を示す断面図である。これらの図において、１は磁気記録媒体、２，３は媒体走行ガイド、４は磁気書込みヘッド、５は磁気読取りヘッドであり、それぞれのヘッドには弾性体ローラ２１，２２が対向配置されている。これらのローラ２１，２２は軸受８で支持された軸７の回転を利用して回転する。また、これらのローラ２１，２２は軸７に取付けられたボス９を介してゴム等の弾性部材からなるパッド１０が付けられており、このパッド１０の周囲をフッ素系の樹脂等のより摩擦係数が低いフィルム体２３で覆っている。１１，１２はローラ２１，２２を支持するプレッシャアーム、１３，１４はプレッシャアーム１１，１２と図示しない枠体との間に張設したスプリングであり、各プレッシャアーム１１，１２の支点１５，１６を介して、ローラ２１，２２を磁気書込みヘッド４と磁気読取りヘッド５とにそれぞれ密着させている。
【０００５】
【発明が解決しようとする課題】
このような構造は、図３（ａ）に示すように、磁気ヘッド４（符号３１は磁気ヘッド４のトラックが有る部分を示す）に対応した一定幅の媒体１に対して磁気記録等を行う場合には有効な構造であった。しかし近年の多様化するニーズの中は、様々の券長、券幅の媒体を扱うことが必要となってきている。同一の装置内で幅の異なる媒体に磁気情報を記録等する場合、同一の磁気ヘッドを利用しようとすると、図３（ｂ）のように、媒体のＡ側とＢ側とで磁気ヘッド４への押し当て圧力が異なってしまい、磁気情報を記録等することが困雑であった。そこで従来は、異なる幅の媒体毎に磁気記録機構を設ける等していたため、装置が非常に高価なものとなったり大型化する等していた。
従って、本発明は、券幅の異なる媒体でも安定した磁気書込み及び／又は磁気読取りを簡単な構成で可能とした、各種券処理装置等に用いられる媒体処理装置を提案するものである。
【０００６】
【課題を解決するための手段】
本発明は、弾性体ローラと磁気ヘッドとの間に磁気記録用媒体を通し前記弾性体ローラで前記媒体を前記磁気ヘッドに押し当てて磁気書込み及び／又は磁気読取りを行う媒体処理装置において、前記ローラをその左右端にそれぞれ配したアームで支持し、前記ローラの左側を支持するアームと前記ローラの右側を支持するアームの傾きを相互に釣り合わせるスタビライザーを備え、前記スタビライザーが中間部を支点に回動可能に保持された部材からなり、前記部材の一端で前記ローラの左側を支持するアームを、前記部材の他端で前記ローラの右側を支持するアームを、それぞれ支持したことを特徴とする。
【０００７】
また、弾性体ローラと磁気ヘッドとの間に磁気記録用媒体を通し前記弾性体ローラで前記媒体を前記磁気ヘッドに押し当てて磁気書込み及び／又は磁気読取りを行う媒体処理装置において、後辺部が固定された板バネの前辺部に前記弾性体ローラを配し、前記前辺部の一端に前記ローラの左側を支持するアームを、前記前辺部の他端に前記ローラの右側を支持するアームをそれぞれ備えたことを特徴とする。
【０００８】
また、弾性体ローラと磁気ヘッドとの間に磁気記録用媒体を通し前記弾性体ローラで前記媒体を前記磁気ヘッドに押し当てて磁気書込み及び／又は磁気読取りを行う媒体処理装置において、前記弾性体ローラを複数の弾性体ローラを並列させて構成するとともに、各ローラを支持するローラ支持機構を各ローラ毎に備えたことを特徴とする。
【０００９】
【発明の実施の形態】
本発明の実施形態について図面を参照しながら説明する。なお、各図面に共通な要素には同一符号を付す。
また、ローラ部の磁気書込み側と磁気読取り側は同一構造のため構造、以下では磁気書込み側を取上げて説明する。
【００１０】
参考形態１．
図４は本発明の参考形態１に係るローラ部の構造図及び動作説明図である。参考形態１のローラ部（作動機構をも含む）の構造は、以下の点を除いて図１及び図２に示したローラ部（作動機構をも含む）の構造と同じ構成となっている。即ち、図４（ａ）に示すように、参考形態１では、ローラ２１の中央部にフィルム体及びパッドの上層部を切欠いて環状の溝２５を形成している点が従来の構成と相違している。この溝２５の位置は、処理しようとする媒体の幅に応じて定めるもので、この図のように溝２５をローラ２１の中央部に形成した場合には、ローラ２１の全幅長に相当する幅を有する媒体に加えて、ローラ２１の全幅長の約半分に相当する幅を有する媒体の使用にも対応させたものである。
なお、図４では、ボス９、パッド１０、フィルム体２３等の表示を省略している。
【００１１】
上記の構造において、図４（ｂ）に示すように、ローラ２１の全幅長の約半分に相当する幅を有する媒体１がローラ２１と磁気書込みヘッド４との間を通過すると、弾性体であるローラ２１が変形するが、ローラ２１の中央表面部に溝２５があるため、その変形は媒体１が通過している片側半分のみに一様な圧縮変形が生じ、これによって媒体１には全体にほぼ均一の押当て力が掛かり、安定した磁気記録を実現することができる。
また、ローラ２１の全幅長に相当する幅を有する媒体がローラ２１と磁気書込みヘッド４との間を通過する際には、弾性体であるローラ２１の全体に亘って一様な圧縮変形が生じ、これによって媒体には全体にほぼ均一の押当て力が掛かり、安定した磁気記録を実現することができる。
なお、ローラ２１の溝２５は、使用する媒体に応じて２個以上設けることもできる。
【００１２】
参考形態２．
図５は本発明の参考形態２に係るローラ部の構造図及び動作説明図である。参考形態２のローラ部（作動機構をも含む）の構造は、以下の点を除いて図１及び図２に示したローラ部（作動機構をも含む）の構造と同じ構成となっている。即ち、図５（ａ）に示すように、参考形態２では、ローラ２１を構成するパッド１０を固定するためのボス９の外径を磁気ヘッド４の媒体処理領域３１に対応する領域内で変化させ、ローラ２１の外径は軸方向で一定としたまま弾性部材であるパッド１０の肉厚を軸方向で変化させ、パッド１０の軸方向における硬度を変化させた点が従来の構成と相違している。ここでは、パッド１０の中央部の肉厚をその両側に比べて厚くしている。
【００１３】
上記の構造において、図５（ｂ）に示すように、ローラ２１の全幅長の約半分に相当する幅を有する媒体１がローラ２１と磁気書込みヘッド４との間を通過すると、弾性体であるローラ２１が変形するが、ローラ２１の中央部と両側部とでパッド１０の肉厚が相違するため、ローラ２１の中央部では弾性体の変形がその側部より大きく生じる。このため、ローラ２１を磁気記録媒体１に追従してそこに押しつけることができ、ローラ２１を磁気記録媒体１の全体に亘ってほぼ均一に押当てることが出来、安定した磁気記録を実現することができる。
また、ローラ２１の全幅長に相当する幅を有する媒体がローラ２１と磁気書込みヘッド４との間を通過する際には、弾性体であるローラ２１の全体に亘って一様な圧縮変形が生じ、これによって媒体には全体にほぼ均一の押当て力が掛かり、安定した磁気記録を実現することができる。
【００１４】
なお、ボス９の形状及びパッド１０の肉厚は、使用する媒体の幅に応じて適宜決定される。例えば、ローラ２１の全幅長に相当する幅を有する媒体とローラ２１の約半分に相当する幅を有する媒体との２種類を処理するためには、図６（ａ），（ｂ）に示すように、ローラ２１の中央部がその両側部より厚肉となるようにボス９の形状を決定するとよい。言い換えれば、使用する媒体の内側縁部に当接するローラ部分がより変形し易くなるように、ボス９の形状及びパッド１０の肉厚を決定すればよく、その形状は図６（ａ），（ｂ）等に限られるものではない。
【００１５】
実施形態１．
図７は本発明の実施形態１に係るローラ部の構造図及び動作説明図である。図７（ａ）に示すように、実施形態１のローラ部（作動機構をも含む）の構造は、図１で使用したと同じローラ２１を用いているものの、その作動機構が従来のものと相違している。即ち、ローラ２１の左右端に配したプレッシャアーム１１，１１でローラ２１を支持するとともに、そのプレッシャアーム１１，１１をスタビライザーとして機能する細長部材４３により支持している。細長部材４３はコの字状に形成され、その中間部は留め具４５等により固定板４１（固定板４１は図示していない枠体等に固定される）に回動可能に取付けられている。また、プレッシャアーム１１，１１には、それらを下方へ付勢するスプリング３３が取付けられている。
【００１６】
上記の構造において、ローラ２１の全幅長の約半分に相当する幅を有する媒体１がローラ２１と磁気書込みヘッド４との間を通過すると、媒体１の有無による段差のためにローラ２１が一時的に傾き、それに伴って細長部材４３の左右端部にもねじりが生じて傾くが、細長部材４３はその中間部を固定板４１に回動可能に取付けられているのでそのねじりによる傾きを修正する方向に動いて、すぐに図７（ｂ）に示すような安定状態に復帰する。即ち、細長部材４３がスタビライザーとして作用することで、媒体１の全体に亘ってほぼ均等な力が掛かり、安定した磁気記録を実現することができる。
また、ローラ２１の全幅長に相当する幅を有する媒体がローラ２１と磁気書込みヘッド４との間を通過する際には、ローラ２１に傾きが生じないのでローラ２１の左右端部は細長部材４３によりほぼ均等な力で支持され、これによって媒体には全体にほぼ均一の押当て力が掛かり、安定した磁気記録を実現することができる。
【００１７】
なお、この例ではスタビライザーとして機能させる部材として細長部材４３を用いたが、上記のような機能を果たすものであればその形状や取付態様は自由に決定してよい。
【００１８】
実施形態２．
図８は本発明の実施形態２に係るローラ部の構造図である。実施形態２のローラ部（作動機構をも含む）の構造は、図７に示したプレッシャアーム１１，１１、スプリング３３，３３及び細長部材４３を、１つの板バネ部材に置き換えたものである。即ち、図８に示すように、ローラ２１の左右端を支持するアーム部５１を前辺部５２に備えたバネ性を有する板材５０を、その後辺部５３において図示しない枠体等に固定された固定板４１に固定し、板材５０のバネ力を利用してローラ２１を支持するようにしたものである。
なお、板材５０はその中央部５４を矩形に切欠いてそのバネ性を高めると共に、その前辺部５２を利用して左右のアーム部５１を互いに連結させている。
また、板材５０に設けられたアーム部５１は、板材５０を折り曲げて形成してもよく、また板材５０とは別に作られたアーム部材を後から取付固定して形成してもよい。
【００１９】
上記の構造において、ローラ２１の全幅長の約半分に相当する幅を有する媒体１がローラ２１と磁気書込みヘッド４との間を通過すると、媒体１の有無による段差のためにローラ２１が一時的に傾き、それに伴って板材５０のアーム部５１及び左右辺部５５，５６もねじりが生じて傾くが、板材５０はそのバネ性によりねじりによる傾きを修正するように作用して、すぐに安定な状態に復帰する。これにより、媒体１の全体に亘ってほぼ均等な力が掛かり、安定した磁気記録を実現することができる。
【００２０】
実施形態３．
図９は本発明の実施形態３に係るローラ部の構造図及び動作説明図である。実施形態３では、図９（ａ）に示すように、使用する媒体の幅に対応した幅を有するローラ２１を複数個並列させて、それぞれ独立に支持したものである。この場合、ローラ２１は磁気ヘッドが備えるトラック数分並置することができる。また、この例で、ローラ２１は実施形態４と同様バネ性を有する板材６０で支持しているが、各ローラ２１を従来のように、プレッシャアームとスプリングとを利用して支持することもできる。
なお、実施形態３において、各ローラ２１の幅は実施形態２でのそれに比べてかなり狭いので、板材５０の場合と違って、板材６０の左右のアーム部６１を連結する前辺部６２は必ずしも備える必要はない。
【００２１】
上記の構造において、図９（ｂ）に示すように、ローラ２１の全幅長の約半分に相当する幅を有する媒体１がローラ２１と磁気書込みヘッド４との間を通過すると、対応するローラ２１だけが板材６０のバネ性によりローラ２１の厚さ分上方に持ち上げられて、媒体１には全体にほぼ均一の押当て力が掛かり、安定した磁気記録を実現することができる。
また、ローラ２１の全幅長に相当する幅を有する媒体がローラ２１と磁気書込みヘッド４との間を通過する際には、複数のローラ２１の全体が板材６０のバネ性によりローラ２１の厚さ分上方に持ち上げられて、媒体１には全体にほぼ均一の押当て力が掛かり、安定した磁気記録を実現することができる。
【００２２】
【発明の効果】
以上説明したように本発明の媒体処理装置によれば、幅の異なる媒体でも安定した磁気書込みや磁気読取りが可能となるので、異なる幅の券を利用す券処理装置等が簡単な構成で実現できる事になる。
【図面の簡単な説明】
【図１】  従来のローラ部の構造図。
【図２】  ローラの構造を示す断面図。
【図３】  従来のローラ部の動作説明図。
【図４】  本発明の参考形態１に係るローラ部の構造図及び動作説明図。
【図５】  本発明の参考形態２に係るローラ部の構造図及び動作説明図。
【図６】  参考形態２におけるローラを構成するボスの形状図。
【図７】  本発明の実施形態１に係るローラ部の構造図及び動作説明図。
【図８】  本発明の実施形態２に係るローラ部の構造図。
【図９】  本発明の実施形態３に係るローラ部の構造図及び動作説明図。
【符号の説明】
１  磁気記録媒体、
４  磁気書込みヘッド、
９  ボス、
１０  パッド、
１１  プレッシャアーム、
２１  弾性体ローラ、
２５  環状溝、
４１  固定板、
４３  細長部材、
５０  板材。
【図１】
0004716601.tif 000002
【図２】
0004716601.tif 000003
【図３】
0004716601.tif 000004
【図４】
0004716601.tif 000005
【図５】
0004716601.tif 000006
【図６】
0004716601.tif 000007
【図７】
0004716601.tif 000008
【図８】
0004716601.tif 000009
【図９】
0004716601.tif 000010